(57)【要約】【課題】ユーザの確認を適切に行なうことが可能な情報処理端末を提供する。【解決手段】第一ユーザ識別子を受信する受信部１０２と、受信部１０２が受信した第一ユーザ識別子に対応するユーザに関する情報であるユーザ情報を表示する表示部１０３と、ユーザを確認する情報である確認情報を受け付ける確認情報受付部１０４と、確認情報受付部１０４が受け付けた確認情報に関する情報である確認受付情報をサーバ３に送信する送信部１０５とを備えた。【選択図】図１
2017187879.tif 000002
【特許請求の範囲】
【請求項１】
第一ユーザ識別子を受信する受信部と、
前記受信部が受信した第一ユーザ識別子に対応するユーザに関する情報であるユーザ情報を表示する表示部と、
ユーザを確認する情報である確認情報を受け付ける確認情報受付部と、
前記確認情報受付部が受け付けた確認情報に関する情報である確認受付情報をサーバに送信する送信部とを備えた情報処理端末。
【請求項２】
前記確認情報受付部は、近距離無線通信により送信される第二ユーザ識別子である確認情報の受信、及び確認者による確認情報の入力の受付、の少なくとも一方を行なう請求項１記載の情報処理端末。
【請求項３】
確認対象となるユーザを示す情報である確認対象情報が格納される対象格納部を更に備え、
前記表示部は、前記確認対象情報が示す確認対象となるユーザを示すリストを表示し、前記受信部が受信した第一ユーザ識別子が、前記確認対象情報が示すユーザの第一ユーザ識別子である場合に、前記リストの当該ユーザに対応するリスト項目に、当該ユーザについて第一ユーザ識別子を受信したことを示すユーザ情報を表示する請求項１または請求項２記載の情報処理端末。
【請求項４】
確認対象となるユーザを示す情報である確認対象情報が格納される対象格納部を更に備え、
前記表示部は、表示するユーザ情報が、前記対象格納部に格納された確認対象情報が示すユーザのユーザ情報であるか否かに応じて、異なる表示態様で、ユーザ情報を表示する請求項１または請求項２記載の情報処理端末。
【請求項５】
確認対象となるユーザを追加する指示である追加指示を受け付ける追加指示受付部と、
前記追加指示が示すユーザを確認対象として追加する追加部と、を更に備えた請求項１から請求項４いずれか一項記載の情報処理端末。
【請求項６】
確認対象に変更されたユーザを示す情報を、他の情報処理端末に送信する変更送信部を更に備えた請求項５記載の情報処理端末。
【請求項７】
第一ユーザ識別子と、当該第一ユーザ識別子に対応するユーザを確認する情報である確認情報とが格納されるユーザ情報格納部と、
第一近距離無線通信により前記ユーザ情報格納部に格納された第一ユーザ識別子を送信する第一送信部と、
前記ユーザ情報格納部に格納された確認情報を、前記第一近距離無線通信よりも通信距離が短い第二近距離無線通信により送信する第二送信部とを備えた通信装置。
【請求項８】
前記第一ユーザ識別子と、前記確認情報とが同じ情報である請求項７記載の通信装置。
【請求項９】
請求項１から請求項６いずれか一項記載の一以上の情報処理端末と、請求項７または請求項８記載の二以上の通信装置と、サーバとを備えた避難支援システムであって、
前記情報処理端末は、
前記受信部が、前記通信装置から第一ユーザ識別子を受信し、
前記確認情報受付部が、前記通信装置から確認情報を受信し、
前記送信部が、前記確認受付情報を第一サーバに送信し、
前記サーバは、
前記情報処理端末から確認受付情報を受信し、受信した確認受付情報に対応するユーザを示す情報を取得し、出力する避難支援システム。
【請求項１０】
受信部と、表示部と、確認情報受付部と、送信部とを用いて行なわれる情報処理方法であって、
前記受信部が、第一ユーザ識別子を受信する受信ステップと、
前記表示部が、前記受信ステップにより受信した第一ユーザ識別子に対応するユーザに関する情報であるユーザ情報を表示する表示ステップと、
前記確認情報受付部が、ユーザを確認する情報である確認情報を受け付ける確認情報受付ステップと、
前記送信部が、前記確認情報受付ステップにより受け付けた確認情報に関する情報である確認受付情報をサーバに送信する送信部とを備えた情報処理方法。
【請求項１１】
コンピュータを、
第一ユーザ識別子を受信する受信部と、
前記受信部が受信した第一ユーザ識別子に対応するユーザに関する情報であるユーザ情報を表示する表示部と、
ユーザを確認する情報である確認情報を受け付ける確認情報受付部と、
前記確認情報受付部が受け付けた確認情報に関する情報である確認受付情報をサーバに送信する送信部として機能させるためのプログラム。
【発明の詳細な説明】
【技術分野】
【０００１】
本発明は、集合したユーザの確認に用いられる装置等に関するものである。
【背景技術】
【０００２】
従来の技術として、アクセスポイントを介して校内ネットワークへ接続可能な携帯無線端末に、生徒等の出欠記録と確認（点呼）を行うための機能と、アクセス可能なアクセスポイントの位置から適切な避難経路を取得して表示する機能と、異常発生時にその異常内容に応じた緊急通報をアクセス可能なアクセスポイントの位置情報とともに簡単操作でセンタ通信装置へ送信する機能を設けたものが知られていた。（例えば、特許文献１参照）。
【先行技術文献】
【特許文献】
【０００３】
【特許文献１】特開２００６−８５２５０号公報（第１頁、第１図等）
【発明の概要】
【発明が解決しようとする課題】
【０００４】
しかしながら、上記のような従来の技術においては、ユーザの確認を適切に行なうことが困難であるという課題があった。例えば、従来においては、予め決められた集合場所やその近く等にユーザが集まっているか否かを、自動的に確認することができなかった。また、従来においては、集合場所等に集まったユーザの確認が視認や点呼等で行なわれていたため、ユーザを誤認したり、確認漏れ等が発生する可能性があるという問題があった。
【０００５】
本発明は、上記のような課題を解消するためになされたものであり、ユーザの確認を適切に行なうことが可能な情報処理端末等を提供することを目的とする。
【課題を解決するための手段】
【０００６】
本発明の情報処理端末は、第一ユーザ識別子を受信する受信部と、受信部が受信した第一ユーザ識別子に対応するユーザに関する情報であるユーザ情報を表示する表示部と、ユーザを確認する情報である確認情報を受け付ける確認情報受付部と、確認情報受付部が受け付けた確認情報に関する情報である確認受付情報をサーバに送信する送信部とを備えた情報処理端末である。
【０００７】
かかる構成により、ユーザの確認を適切に行なうことができる。例えば、第一ユーザ識別子の受信により、情報処理端末の近くにユーザが居ることを大まかに知ることができる。また、例えば確認情報により、ユーザが居ることを確認することができるとともに、ユーザの誤認や確認漏れを防ぐことができ、
【０００８】
また、本発明の情報処理端末は、前記情報処理端末において、確認情報受付部は、近距離無線通信により送信される第二ユーザ識別子である確認情報の受信、及び確認者による確認情報の入力の受付、の少なくとも一方を行なう情報処理端末である。
【０００９】
かかる構成により、集合場所等において、ユーザの確認を適切に行なうことができる。例えば、確認情報によって近距離に居るユーザを確認したことを示すことができ、情報処理端末を利用する確認者等がユーザを直接確認したことを示すことができる。また、確認情報を送信することができる場合には、容易にユーザの確認を行なうことができるとともに、確認情報が送信できない場合でも、確認情報を入力することで、ユーザの確認を行なうことができ、さまざまな状況に対応して、ユーザが居ることを確認することができる。
【００１０】
また、本発明の情報処理端末は、前記情報処理端末において、確認対象となるユーザを示す情報である確認対象情報が格納される対象格納部を更に備え、表示部は、確認対象情報が示す確認対象となるユーザを示すリストを表示し、受信部が受信した第一ユーザ識別子が、確認対象情報が示すユーザの第一ユーザ識別子である場合に、リストのユーザに対応するリスト項目に、ユーザについて第一ユーザ識別子を受信したことを示すユーザ情報を表示する情報処理端末である。
【００１１】
かかる構成により、確認対象のユーザが居るか否かを確認することができる。
【００１２】
また、本発明の情報処理端末は、前記情報処理端末において、確認対象となるユーザを示す情報である確認対象情報が格納される対象格納部を更に備え、表示部は、表示するユーザ情報が、対象格納部に格納された確認対象情報が示すユーザのユーザ情報であるか否かに応じて、異なる表示態様で、ユーザ情報を表示する情報処理端末である。
【００１３】
かかる構成により、第一ユーザ情報を受信したユーザが、確認対象のユーザであるか否かを容易に把握することができる。
【００１４】
また、本発明の情報処理端末は、前記情報処理端末において、確認対象となるユーザを追加する指示である追加指示を受け付ける追加指示受付部と、追加指示が示すユーザを確認対象として追加する追加部と、を更に備えた情報処理端末である。
【００１５】
かかる構成により、確認対象のユーザを適宜追加することができる。これにより、早急にユーザの確認を行なうことが可能となる。
【００１６】
また、本発明の情報処理端末は、前記情報処理端末において、確認対象に変更されたユーザを示す情報を、他の情報処理端末に送信する変更送信部を更に備えた情報処理端末である。
【００１７】
かかる構成により、確認対象のユーザが変更されたことを他の情報処理端末に通知することができる。これにより、例えば、確認対象のユーザの担当変更を、他の情報処理端末をそれぞれ利用する確認者に通知することができる。
【００１８】
本発明の通信装置は、第一ユーザ識別子と、第一ユーザ識別子に対応するユーザを確認する情報である確認情報とが格納されるユーザ情報格納部と、第一近距離無線通信によりユーザ情報格納部に格納された第一ユーザ識別子を送信する第一送信部と、ユーザ情報格納部に格納された確認情報を、第一近距離無線通信よりも通信距離が短い第二近距離無線通信により送信する第二送信部とを備えた通信装置である。
【００１９】
かかる構成により、第一ユーザ識別子と、確認情報とを、それぞれ適切な通信距離で送信することができ、ユーザの確認を適切に行なうことができる。
【００２０】
また、本発明の通信装置は、前記通信装置において、第一ユーザ識別子と、確認情報とが同じ情報である通信装置である。
【００２１】
かかる構成により、情報量を削減できる。これにより、例えば、機器の小型化等を図ることができる。
【００２２】
また、本発明の避難支援システムは、一以上の前記情報処理端末と、二以上の前記通信装置と、サーバとを備えた避難支援システムであって、情報処理端末は、受信部が、通信装置から第一ユーザ識別子を受信し、確認情報受付部が、通信装置から確認情報を受信し、送信部が、確認受付情報を第一サーバに送信し、サーバは、情報処理端末から確認受付情報を受信し、受信した確認受付情報に対応するユーザを示す情報を取得し、出力する避難支援システムである。
【００２３】
かかる構成により、ユーザの確認を適切に行なうことができる。
【発明の効果】
【００２４】
本発明による情報処理端末等によれば、ユーザの確認を適切に行なうことができる。
【図面の簡単な説明】
【００２５】
【図１】本発明の実施の形態における避難支援システムのブロック図
【図２】同情報処理端末の動作について説明するフローチャート
【図３】同避難支援システムの動作を説明するための、避難場所の状況を示す模式図（図３（ａ））、およびユーザ（避難者）の一例を示す模式図（図３（ｂ））
【図４】同情報処理端末のユーザ特定情報管理表を示す図
【図５】同情報処理端末のユーザ特定情報管理表を示す図
【図６】同情報処理端末の表示例を示す図
【図７】同情報処理端末の表示例を示す図
【図８】同情報処理端末の表示例を示す図
【図９】同情報処理端末のユーザ特定情報管理表を示す図
【図１０】同情報処理端末の表示例を示す図
【図１１】同情報処理端末の表示例を示す図
【図１２】同情報処理端末のユーザ特定情報管理表を示す図
【図１３】同情報処理端末の表示例を示す図
【図１４】同コンピュータシステムの構成の一例を示す図
【発明を実施するための形態】
【００２６】
以下、情報処理端末等の実施形態について図面を参照して説明する。なお、実施の形態において同じ符号を付した構成要素は同様の動作を行うので、再度の説明を省略する場合がある。
【００２７】
（実施の形態）
図１は、本実施の形態における避難支援システム１０００のブロック図である。
【００２８】
避難支援システム１０００は、一以上の情報処理端末１、二以上の通信装置２、サーバ３を備える。一以上の情報処理端末１と、サーバ３とは、例えば、情報の送受信が可能となるよう無線ネットワークや、無線通信等により接続される。一以上の情報処理端末１と、サーバ３との接続は、無線や有線の通信回線（図示せず）や通信用のサーバ（図示せず）等を介して接続されてもよい。また、一以上の情報処理端末１と、二以上の通信装置２とは、例えば、情報の送受信が可能となるよう無線ネットワークや、無線通信等により接続される。
【００２９】
情報処理端末１は、対象格納部１０１、受信部１０２、表示部１０３、確認情報受付部１０４、送信部１０５、追加指示受付部１０６、追加部１０７、変更送信部１０８、変更受信部１０９、除外部１１０を備える。ここでは、避難支援システム１０００が二以上の情報処理端末１を有している場合について説明する。図においては、二以上の情報処理端末１を、情報処理端末１ａ，１ｂ等として表している。ただし、情報処理端末１は、一つであってもよい。
【００３０】
通信装置２は、ユーザ情報格納部２０１、第一送信部２０２、第二送信部２０３を備える。図においては、説明の便宜上、二以上の通信装置２を、通信装置２ａ，２ｂ等として表している。二以上の通信装置２は、ユーザ情報格納部２０１に格納されている情報の除けば、いずれも、同じ構成を有している。
【００３１】
サーバ３は、サーバ受信部３０１とサーバ出力部３０２とを備えている。
【００３２】
情報処理端末１は、例えば、一または二以上のユーザの確認を行なう確認者が利用する端末である。ここでの確認とは、例えば、予め決められた集合場所に、ユーザが集合しているか否かの確認である。集合場所がどのような場所であるかは問わない。集合場所は、例えば、避難場所等である。避難場所は、例えば、避難先となる領域や区域である。また、避難場所は、建物等の建築物や、船等の人を収容可能な工作物等における避難場所であってもよい。確認者は、例えば、避難対象となるユーザの責任者や、監督者、引率者や、添乗員、避難誘導の担当者等である。情報処理端末１は、例えば、タブレット型端末や、携帯電話、いわゆるスマートフォン等の多機能携帯電話、等の携帯情報端末や、コンピュータ等により実現可能である。
【００３３】
対象格納部１０１には、確認対象となる一以上のユーザを示す情報である確認対象情報が格納される。確認対象となるユーザとは、例えば、情報処理端末１を利用して確認する対象となるユーザである。確認対象となるユーザは、例えば、情報処理端末１を利用する確認者が、確認を担当する（つまり、確認の対象とする）ユーザと考えてもよい。確認対象情報は、例えば、確認対象となる一以上のユーザをそれぞれ特定する情報（以下、ユーザ特定情報と称す）である。ユーザ特定情報は、例えば、ユーザ識別子である。ユーザ識別子とは、例えば、ユーザに割り当てられたコードや、ユーザの会員番号、ユーザの名前や、ユーザのアカウント、ユーザのメールアドレス等である。ユーザ特定情報は、例えば、後述する第一ユーザ識別子である。ユーザ特定情報は、例えば、後述する確認情報であってもよい。ユーザ特定情報は、後述する第一ユーザ識別子や確認情報とは異なるユーザ識別子であってもよい。確認対象情報は、一のユーザについて複数の異なるユーザ特定情報を有していても良い。例えば、確認対象情報は、ユーザ特定情報として、複数の異なるユーザ識別子を有していても良い。例えば、確認対象情報は、ユーザ特定情報として、第一ユーザ識別子と、確認情報と、第一ユーザ識別子以外のユーザ識別子（例えば、ユーザの名前）との組を有していても良い。かかることは、以下においても同様である。なお、第一ユーザ識別子と確認情報とは同じ情報であってもよい。この場合、確認対象情報は、第一ユーザ識別子を、確認情報としても用いるようにしてもよい。
【００３４】
確認対象情報は、確認対象となる一以上のユーザのリストであってもよい。例えば、確認対象情報は、確認対象となる一以上のユーザのユーザ特定情報のリストであってもよい。例えば、確認対象情報は、確認対象となる一以上のユーザに対応する異なる二以上のユーザ特定情報の組（例えば、第一ユーザ識別子と、確認情報と、ユーザの名前との組）のリストであってもよい。
【００３５】
対象格納部１０１には、確認対象以外の一以上のユーザのユーザ特定情報が格納されていてもよい。この確認対象以外の一以上のユーザは、例えば、他の情報処理端末１を利用して確認される対象となるユーザであることが好ましい。例えば、この確認対象以外の一以上のユーザは、他の一以上の情報処理端末１のいずれかの対象格納部１０１に格納されている確認対象情報が示す一以上のユーザであることが好ましい。
【００３６】
なお、確認対象情報は、対象格納部１０１に格納されている複数のユーザを示す情報（例えば、ユーザ特定情報）のうちの、確認対象のユーザであることを示す情報が付与された情報と考えてもよい。確認対象のユーザであることを示す情報は、例えば、いわゆるフラグ等の情報であってもよく、確認者の識別子や、確認者の情報処理端末１を特定する情報（例えばＩＰアドレス等）などの情報であってもよい。この場合の対象格納部１０１に格納されている複数のユーザを示す情報は、例えば、確認対象となる一以上のユーザを示す情報と、確認対象以外の一以上のユーザを示す情報とのうちの少なくとも一方を有する複数の情報である。例えば、この場合の対象格納部１０１に格納されている複数のユーザを示す情報は、一以上の確認対象となるユーザのユーザ特定情報、及び一以上の確認対象以外のユーザのユーザ特定情報を有する情報である。例えば、対象格納部１０１に格納されている複数のユーザを示す情報は、二以上の情報処理端末１のうちのいずれか一つの確認対象となるユーザを示す情報（例えば、ユーザ特定情報等）である。例えば、対象格納部１０１に格納されている複数のユーザを示す情報は、二以上の情報処理端末１がそれぞれ確認対象とするユーザを示す情報をまとめた情報であってもよい。例えば、対象格納部１０１に格納されている複数のユーザを示す情報は、二以上の情報処理端末１をそれぞれ利用する二以上の確認者が確認対象とするユーザをまとめたリストであってもよい。この場合の確認対象のユーザであることを示す情報が付与されていないユーザを示す情報（例えば、ユーザ特定情報等）が示す一以上のユーザは、例えば、他の一以上の情報処理端末１のいずれかの対象格納部１０１に格納されている確認対象情報が示す一以上のユーザであることが好ましい。
【００３７】
確認対象情報は、例えば、確認対象となる一以上のユーザと、確認対象以外の一以上のユーザとをまとめて示すリストにおける、確認対象であることを示すフラグ等の情報が付与されたユーザを示す情報であってもよい。例えば、確認対象情報は、確認対象となる一以上のユーザのユーザ特定情報と、確認対象以外の一以上のユーザのユーザ特定情報とをまとめて示すリストにおける、確認対象であることを示すフラグ等の情報が付与されたユーザ特定情報と考えてもよい。
【００３８】
対象格納部１０１は、不揮発性の記録媒体が好適であるが、揮発性の記録媒体でも実現可能である。かかることは、他の格納部についても同様である。
【００３９】
受信部１０２は、第一ユーザ識別子を受信する。受信部１０２は、通常、二以上の通信装置２からそれぞれ第一ユーザ識別子を受信する。第一ユーザ識別子は、各通信装置２を利用するユーザの識別子である。各通信装置２に割り当てられた識別子を、各通信装置２を利用するユーザの第一ユーザ識別子と考えてもよい。第一ユーザ識別子は、通常、文字（数字も含む）の組合せにより構成されるコードである。ただし、第一ユーザ識別子は、上述したようなユーザ識別子と同様の情報であってもよい。
【００４０】
受信部１０２は、通信装置２から無線通信により送信される第一ユーザ識別子を受信する。ここで用いられる無線通信は、例えば、近距離無線通信である。ここで用いられる近距離無線通信を、第一近距離無線通信と呼ぶ。第一近距離無線通信は、例えば、通信距離が、５０ｍ以内、好ましくは２０ｍ以内の無線通信である。第一近距離無線通信は、例えば、出力を調節することで通信距離を上記のような範囲に調節した無線通信であってもよい。第一近距離無線通信は、Ｂｌｕｅｔｏｏｔｈ（登録商標）  ＬＥ等による近距離無線通信である。また、第一近距離無線通信は、例えば、ＵＨＦ帯等のＲＦＩＤの技術を用いても実現可能である。この場合、受信部１０２は、ＲＦＩＤリーダ（図示せず）等を有するようにしても良い。
【００４１】
受信部１０２は、通常、無線の通信手段で実現されるが、放送を受信する手段で実現されても良い。受信部１０２は、通信デバイスを含むと考えても、含まないと考えても良い。
【００４２】
表示部１０３は、受信部１０２が受信した第一ユーザ識別子に対応するユーザ情報を表示する。ユーザ情報は、ユーザに関する情報である。ユーザ情報は、例えば、このユーザ情報に対応するユーザが、情報処理端末１の近くにいることを示す情報である。情報処理端末１が、集合場所に位置する場合、ユーザ情報は、例えば、このユーザ情報に対応するユーザが集合場所にいることを示す情報である。表示部１０３が表示する第一ユーザ識別子に対応するユーザ情報は、例えば、受信部１０２が受信した第一ユーザ識別子であってもよい。また、このユーザ情報は、対象格納部１０１に第一ユーザ識別子と対応づけて格納されている第一ユーザ識別子以外のユーザ特定情報（例えば、第一ユーザ識別子以外のユーザ識別子や確認情報等）のうちの一以上であってもよい。例えば、対象格納部１０１に格納されている第一ユーザ識別子と第一ユーザ識別子以外のユーザ識別子との組を有するリストや確認対象情報から検索された、受信部１０２が受信した第一ユーザ識別子と対応する第一ユーザ識別子以外のユーザ識別子であっても良い。また、ユーザ情報は、例えば、図示しない格納部に、受信部１０２が受信した第一ユーザ識別子と対応づけて格納されている第一ユーザ識別子とは異なるユーザ識別子であってもよい。このユーザ識別子としては、上述したユーザ識別子と同様のユーザ識別子が利用可能である。表示部１０３は、ユーザ情報をリスト項目として有するリストを表示してもよい。また、ユーザ情報は、上記の情報の二以上の組合せであってもよい。
【００４３】
表示部１０３は、表示するユーザ情報が、対象格納部１０１に格納された確認対象情報が示すユーザのユーザ情報であるか否かに応じて、異なる表示態様で、ユーザ情報を表示するようにしてもよい。表示するユーザ情報とは、例えば、受信部１０２が受信した第一ユーザ識別子に対応するユーザに関するユーザ情報である。表示部１０３は、例えば、表示するユーザ情報に対応する第一ユーザ識別子と一致する第一ユーザ識別子が、確認対象情報に含まれるか否かを判断し、含まれる場合、表示するユーザ情報が、対象格納部１０１に格納された確認対象情報が示すユーザのユーザ情報であると判断し、含まれない場合、表示するユーザ情報が、対象格納部１０１に格納された確認対象情報が示すユーザのユーザ情報でないと判断し、それぞれの場合で異なる表示態様となるようユーザ情報を表示するようにしてもよい。
【００４４】
異なる表示態様でユーザ情報を表示するということは、例えば、ユーザ情報を視覚的に識別可能となるよう表示することである。異なる表示態様でユーザ情報を表示するということは、例えば、ユーザ情報の背景色や背景パターン等のユーザ情報が表示される領域の属性を異なるものとして表示することである。また、異なる表示態様でユーザ情報を表示するということは、例えば、ユーザ情報の文字の属性を異なるものとして表示することであり、例えば、ユーザ文字色、文字のサイズや、フォント、文字の太さ、文字の塗りのパターン等を他と異なるものとすることである。また、異なる表示態様でユーザ情報を表示するということは、例えば、各ユーザ情報に対応する位置に、マーク等の予め決められた画像や文字を表示する、あるいは非表示とすることである。例えば、異なる表示態様でユーザ情報を表示するということは、チェックマークを入れた画像の表示や、チェックボタンをオン状態とした画像の表示を行なうこと等である。各ユーザ情報に対応する位置は、例えば、予め決められた位置である。この、予め決められた位置は、例えば、ユーザ情報をリスト表示する場合、各リスト項目の第一ユーザ識別子を受信したか否かの画像を表示する行や列を示す位置である。また、異なる表示態様でユーザ情報を表示することは対象格納部１０１に格納された確認対象情報が示すユーザのユーザ情報と、それ以外のユーザ情報とを、異なる画面で表示することであってもよい。異なる画面は、いわゆるタブ切り替え等の操作により切り替え可能な画面や、異なるウインドウ等と考えてもよい。また、異なる表示態様でユーザ情報を表示することは、一の画面内の異なるウインドウに表示することであってもよい。また、異なる表示態様でユーザ情報を表示することは、確認対象情報が示すユーザのユーザ情報の群と、確認対象情報が示すユーザ以外のユーザのユーザ情報の群とを、明示的に区別された（例えば、群内のユーザ情報間を区切る線や枠線等とは、異なる線や枠線等で区切られた）異なる領域に表示すること等であってもよい。かかることは、ユーザ確認情報の表示についても同様である。
【００４５】
表示部１０３は、例えば、受信部１０２が受信した第一ユーザ識別子が、対象格納部１０１に格納されている確認対象情報が示すユーザの第一ユーザ識別子である場合に、この第一ユーザ識別子に対応するユーザに関するユーザ情報を表示するようにし、確認対象情報が示すユーザの第一ユーザ識別子でない場合に、この第一ユーザ識別子に対応するユーザに関するユーザ情報を表示しないようにしてもよい。受信部１０２が受信した第一ユーザ識別子が、対象格納部１０１に格納されている確認対象情報が示すユーザの第一ユーザ識別子である場合とは、例えば、確認対象情報が、一以上の第一ユーザ識別子を有する場合においては、受信部１０２が受信した第一ユーザ識別子が、対象格納部１０１に格納されている確認対象情報が有する一以上の第一ユーザ識別子のいずれか一つと一致する場合である。
【００４６】
表示部１０３は、例えば、確認対象情報が示す確認対象となるユーザを示すリストを表示してもよい。確認対象となるユーザを示すリストとは、例えば、確認対象情報が有する確認対象となるユーザのユーザ特定情報（例えば、ユーザ識別子等）をリスト項目として有するリストである。ここでのリスト項目とは、例えば、ユーザに対応するリストの項目である。ここでのリスト項目は、例えば、リストに表示される各ユーザ特定情報や、各ユーザ特定情報を有する情報や、各ユーザ特定情報と対応付けられた情報である。表示部１０３は、例えば、確認対象情報が、確認対象となるユーザのユーザ特定情報（例えば、ユーザ識別子等）を有する場合、このユーザ特定情報をリスト項目として有するリストを作成し、表示する。また、確認対象情報が、複数のユーザ（例えば、確認対象となるユーザと、確認対象以外のユーザとを含むユーザ）のユーザ特定情報のうちの、予め決められた情報（例えばフラグ等）が付与されたユーザ特定情報である場合は、この確認対象情報から、予め決められた情報が付与されたユーザ特定情報を検索して、検索により得られたユーザ特定情報をリスト項目として有するリストを作成し、表示するようにしてもよい。
【００４７】
表示部１０３は、例えば、確認対象情報が示す確認対象となるユーザを示すリストを表示する場合等において、受信部１０２が、確認対象情報が示すユーザの第一ユーザ識別子を受信した場合、リストのこの第一ユーザ識別子に対応するユーザに対応するリスト項目を、確認対象となるユーザについてのユーザ情報であることが識別可能な表示態様で表示するようにしてもよい。このように確認対象となるユーザのリスト項目を識別可能に表示することを、確認対象となるユーザについてのユーザ情報を表示することと考えてもよい。
【００４８】
一のリスト項目を、確認対象となるユーザについてのユーザ情報であることが識別可能な表示態様で表示することは、例えば、一のリスト項目を、他のリスト項目とは異なる表示態様で表示することである。一のリスト項目を、他のリスト項目とは異なる表示態様で表示するということは、例えば、背景色や文字色、文字のサイズや、フォント、文字の太さ、背景パターンや文字の塗りのパターン等を他と異なるものとすることや、一のリスト項目の、予め決められた位置に、マーク等の予め決められた画像や文字を表示すること、あるいは非表示とすることである。例えば、チェックマークを入れた画像の表示や、チェックボタンをオン状態とした画像の表示を行なうこと等である。このような一のリスト項目に対する第一ユーザ識別子を受信したことを示す画像や文字の表示は、一のリスト項目に対する第一ユーザ識別子を受信したことを示すフラグの表示等と考えてもよい。予め決められた位置は、例えば、各リスト項目の第一ユーザ識別子を受信したか否かの画像を表示するために用意された行や列を示す位置である。
【００４９】
なお、表示部１０３が、例えば、確認対象情報が示す確認対象となるユーザを示すリストを表示する場合等においては、受信部１０２が受信した第一ユーザ識別子が、確認対象情報が示すユーザの第一ユーザ識別子でない場合に、この第一ユーザ識別子に対応するユーザに対応するリスト項目を、確認対象以外のユーザについてのユーザ情報として有するリスト等を表示するようにしてもよい。
【００５０】
また、表示部１０３は、後述する確認情報受付部１０４が受け付けた確認情報に対応するユーザに関する情報であるユーザ確認情報を表示してもよい。ユーザ確認情報は、例えば、このユーザ確認情報に対応するユーザの確認が取れたことを示す情報である。例えば、情報処理端末１が、集合場所に位置する場合、ユーザ確認情報は、例えば、このユーザ確認情報が示すユーザが集合場所にいることの確認が取れたことを示す情報である。表示部１０３が表示する確認情報に対応するユーザに関するユーザ情報は、例えば、確認情報受付部１０４が受け付けた確認情報であってもよい。また、このユーザ確認情報は、対象格納部１０１に確認情報と対応づけて格納されている確認情報以外のユーザ特定情報（例えば、第一ユーザ識別子や、第一ユーザ識別子以外のユーザ識別子等）のうちの一以上であってもよい。例えば、対象格納部１０１に格納されているユーザ識別子と確認情報との組を有するリストや確認対象情報から検索された、確認情報受付部１０４が受け付けた確認情報と対応するユーザ識別子であっても良い。また、ユーザ情報は、例えば、図示しない格納部に、確認情報受付部１０４が受け付けた確認情報と対応づけて格納されているユーザ識別子であってもよい。このユーザ識別子としては、上述したユーザ識別子と同様のユーザ識別子が利用可能である。また、ユーザ確認情報は、上記の情報の二以上の組合せであってもよい。なお、表示部１０３は、ユーザ確認情報をリスト項目として有するリストを表示してもよい。
【００５１】
表示部１０３は、後述する確認情報受付部１０４が受け付けた確認情報が、対象格納部１０１に格納された確認対象情報が示すユーザの確認情報であるか否かに応じて、異なる表示態様で、ユーザ確認情報を表示するようにしてもよい。表示部１０３は、例えば、確認情報受付部１０４が受け付けた確認情報と一致する確認情報が、確認対象情報に含まれるか否かを判断し、含まれる場合、確認情報が、対象格納部１０１に格納された確認対象情報が示すユーザの確認情報であると判断し、含まれない場合、確認情報が、対象格納部１０１に格納された確認対象情報が示すユーザの確認情報でないと判断する。そして、それぞれの場合で異なる表示態様となるようユーザ確認情報を表示するようにしてもよい。
【００５２】
異なる表示態様によるユーザ確認情報の表示は、上述した異なる表示態様によるユーザ情報の表示と同様であるため、ここでは詳細な説明は省略する。
【００５３】
表示部１０３は、例えば、後述する確認情報受付部１０４が受け付けた確認情報が、対象格納部１０１に格納されている確認対象情報が示すユーザの確認情報である場合に、この確認情報に対応するユーザのユーザ確認情報を表示するようにし、確認対象情報が示すユーザの確認情報でない場合に、この確認情報に対応するユーザのユーザ確認情報を表示しないようにしてもよい。確認情報が、対象格納部１０１に格納されている確認対象情報が示すユーザの確認情報であるか否かの判断処理の例は、上述しているため、ここでは省略する。
【００５４】
表示部１０３は、例えば、上記のように、確認対象情報が示す確認対象となるユーザを示すリストを表示する場合において、後述する確認情報受付部１０４が確認対象情報が示すユーザの確認情報を受け付けた場合、リストのこの確認情報に対応するユーザに対応するリスト項目を、確認対象となるユーザについてのユーザ確認情報であることが識別可能な表示態様で表示するようにしてもよい。このように確認対象となるユーザのリスト項目を識別可能に表示することを、確認対象となるユーザについてのユーザ確認情報を表示することと考えてもよい。
【００５５】
一のリスト項目を、一のリスト項目が確認対象となるユーザについてのユーザ確認情報であることが識別可能な表示態様で表示することは、例えば、一のリスト項目を、他のリスト項目とは異なる表示態様で表示することである。ここでの異なる表示態様は、上述した一のリスト項目をユーザ情報として表示する際の表示態様とは異なる表示態様であることが好ましい。一のリスト項目を、他のリスト項目とは異なる表示態様で表示することについては、上記と同様であるため、ここでは説明を省略する。
【００５６】
なお、一のリスト項目に対して、このリスト項目に対する確認情報を受信したことを示すユーザ確認情報の表示と、このリスト項目に対する第一ユーザ識別子を受信したことを示すユーザ情報の表示と、を同時に行えるようにしてもよい。例えば、一のリスト項目に対する第一ユーザ識別子を受信したことを示すユーザ情報を、リスト項目の予め決められた位置に表示される予め決められた画像や文字とし、一のリスト項目に対する確認情報を受信したことを示すユーザ確認情報を、リスト項目の予め決められた位置であって、ユーザ情報が表示される位置とは異なる位置に表示される予め決められた画像や文字とすることで、一のリスト項目に、ユーザ情報と、ユーザ確認情報とを表示することができる。また、例えば、一のリスト項目に対する第一ユーザ識別子を受信したことを示すユーザ情報を、予め決められた画像や文字とし、一のリスト項目に対する確認情報を受信したことを示すユーザ確認情報を、ユーザ情報とは異なる画像や文字とすることで、一のリスト項目に、ユーザ情報と、ユーザ確認情報とを表示することができる。
【００５７】
なお、確認情報が、対象格納部１０１に格納されている確認対象情報が示すユーザの確認情報であるか否かの判断処理の例は、上述しているため、ここでは省略する。
【００５８】
なお、対象格納部１０１に複数の第一ユーザ識別子が格納されている場合においては、表示部１０３は、受信部１０２が受信した第一ユーザ識別子が、対象格納部１０１に格納されている複数の第一ユーザ識別子のいずれとも一致しない場合に、この第一ユーザ識別子に対応するユーザに関するユーザ情報を表示しないようにしてもよい。対象格納部１０１に格納されている複数の第一ユーザ識別子は、上述したような確認対象となるユーザの第一ユーザ識別子、具体的には、確認対象情報が有する第一ユーザ識別子と、それ以外の確認対象以外のユーザの第一ユーザ識別子である。かかることは、ユーザ確認情報についても同様である。
【００５９】
表示部１０３は、ディスプレイデバイスを含むと考えても含まないと考えても良い。表示部１０３は、ディスプレイデバイスのドライバーソフトまたは、ディスプレイデバイスのドライバーソフトとディスプレイデバイス等で実現され得る。
【００６０】
確認情報受付部１０４は、一または二以上の確認情報を受け付ける。確認情報は、ユーザを確認する情報である。確認情報は、例えば、ユーザの所在の確認が取れたことを示す情報や、ユーザが集合場所に居ることの確認が取れたことを示す情報や、確認者がユーザとの接触がとれたことを示す情報や、確認者がユーザと直接対面したことを示す情報である。確認情報は、例えば、確認の対象となるユーザを特定可能な情報である。確認情報は、例えば、各通信装置２を利用するユーザの識別子である。確認情報は、第一ユーザ識別子とは異なるユーザ識別子（以下、第二ユーザ識別子）であってもよく、第一ユーザ識別子と同じユーザ識別子であってもよい。第一ユーザ識別子と確認情報とが同じ情報である場合、例えば、受信部１０２と確認情報受付部１０４とのいずれが取得した情報であるか否か等の、情報の取得の仕方等により、第一ユーザ識別子と確認情報とを区別してもよい。各通信装置２に割り当てられた識別子であって、第一ユーザ識別子とは異なる識別子を、各通信装置２を利用するユーザの第二ユーザ識別子と考えてもよい。第二ユーザ識別子は、通常、文字（数字も含む）の組合せにより構成されるコードである。ただし、第二ユーザ識別子は、上述したようなユーザ識別子と同様の情報であってもよい。
【００６１】
ここでの確認情報の受付とは、タッチパネル等の図示しない入力デバイス等を介した確認情報の受付であってもよく、通信装置２から送信される確認情報の受信であってもよい。例えば、確認情報受付部１０４は、この両方を適宜切り替えて用いることで確認情報を受け付けてもよい。
【００６２】
確認情報受付部１０４は、例えば、通信装置２から近距離無線通信により送信される確認情報である。第二ユーザ識別子を受信してもよい。ここで用いられる近距離無線通信を、第二近距離無線通信と呼ぶ。第二近距離無線通信は、第一近距離無線通信よりも通信可能な距離が短い通信である。第二近距離無線通信は、例えば、通信距離が、１０ｃｍ以内、好ましくは１ｃｍ以内の無線通信である。第二近距離無線通信は、例えば、出力を調節することで通信距離を上記のような範囲に調節した無線通信であってもよい。第二近距離無線通信は、例えば、ＮＦＣ（Ｎｅａｒ  Ｆｉｅｌｄ  Ｃｏｍｍｕｎｉｃａｔｉｏｎ）等による近距離無線通信である。また、第二近距離無線通信は、例えば、ＬＦ帯やＨＦ帯等のＲＦＩＤの技術を用いても実現可能である。この場合、確認情報受付部１０４は、ＲＦＩＤリーダ（図示せず）等を有するようにしても良い。
【００６３】
また、確認情報受付部１０４は、例えば、ユーザから、手入力等により入力される確認情報を受け付けるようにしてもよい。確認情報受付部１０４は、例えば、表示部１０３が表示しているユーザ情報のうちのユーザにより指定されたユーザ情報に対応するユーザについて確認情報を受け付けても良い。なお、確認情報受付部１０４による確認情報の受付は音声認識による入力であってもよい。
【００６４】
確認情報受付部１０４が、例えば、近距離無線通信により送信される第二ユーザ識別子である確認情報の受信、及び確認者による確認情報の入力の受付、の両方を行えるようにしてもよい。
【００６５】
確認情報受付部１０４は、例えば、受信部１０２が受信した第一ユーザ識別子に対応するユーザについてのみ、確認情報を受け付けられるようにしても良い。例えば、確認情報受付部１０４は、表示部１０３が表示しているユーザ情報に対応するユーザについてのみ、確認情報を受け付けられるようにしても良い。
【００６６】
なお、確認情報受付部１０４は、情報処理端末１を利用している確認者が担当しているユーザについての確認情報のみを受け付けられるようにしても良い。
【００６７】
確認情報の入力手段は、タッチパネルやキーボードやマウスや通信手段やメニュー画面によるもの等、何でも良い。確認情報受付部１０４は、タッチパネルやキーボード等の入力手段のデバイスドライバーや、通信手段のドライバーや、メニュー画面の制御ソフトウェア等で実現され得る。
【００６８】
送信部１０５は、確認情報受付部１０４が受け付けた確認情報に関する情報である確認受付情報をサーバ３に送信する。確認受付情報とは、例えば、確認情報に対応するユーザ情報が示すユーザの確認がとれたことを示す情報である。確認受付情報は、確認情報に対応する情報であって、確認情報に対応するユーザを特定可能な情報である。確認受付情報は、確認情報であってもよい。また、確認受付情報は、確認情報と対応付けられた確認情報以外のユーザ特定情報（例えば、第一ユーザ識別子や、ユーザ識別子等）であってもよい。確認情報と対応付けられたユーザ特定情報は、例えば、対象格納部１０１に格納された確認対象情報から検索により取得可能である。
【００６９】
送信部１０５は、例えば、対象格納部１０１に格納されている確認対象情報に含まれる確認情報を確認情報受付部１０４が受け付けた場合に、この確認情報に関する情報である確認受付情報をサーバ３に送信する。確認対象情報に含まれる確認情報とは、例えば、確認対象情報に含まれる一以上の確認情報の何れかと一致する確認情報である。また、例えば、送信部１０５は、確認情報受付部１０４が受け付けた確認情報が対象格納部１０１に格納されている確認対象情報に含まれる確認情報でない場合に、この確認情報に関する情報である確認受付情報をサーバ３に送信しない。
【００７０】
送信部１０５は、図示しない格納部に予め格納されている情報処理端末１を利用する確認者の識別子である確認者識別子を読み出して、上記の確認受付情報と対応付けて、サーバ３に送信するようにしてもよい。また、確認者識別子は、情報処理端末１に割り当てられた機器の識別子であってもよい。
【００７１】
送信部１０５が確認受付情報をサーバ３に送信するトリガーやタイミング等は問わない。例えば、送信部１０５は、確認情報受付部１０４が新たな確認情報を受け付けた場合に、この確認情報に対応する確認受付情報をサーバ３に送信してもよい。また、送信部１０５は、予め決められた一定または不定のタイミング毎に、あるいは、確認者等から図示しない受付部等を介して送信指示を受け付けた場合に、確認情報受付部１０４が受け付けた確認情報に対応する確認受付情報をサーバ３に送信してもよい。この場合、既に送信済である確認受付情報と同じユーザに対応付けられた確認受付情報は、送信しないようにしてもよい。例えば、送信部１０５は、確認受付情報を送信する際には、一つ前に確認受付情報を送信した後に受け付けた確認情報に対応する確認受付情報だけを送信するようにしてもよい。例えば、確認受付情報を送信した確認情報については、確認受付情報が送信済であることを示すフラグ等の情報を対応づけておくようにして、このフラグの情報が対応付けられている確認情報に対応する確認受付情報は送信しないようにしてもよい。
【００７２】
送信部１０５は、通常、無線の通信手段で実現されるが、放送手段で実現されても良い。送信部１０５は、通信デバイスを含むと考えても、含まないと考えても良い。
【００７３】
追加指示受付部１０６は、確認対象となるユーザを追加する指示である追加指示を受け付ける。追加指示は、例えば、追加するユーザについての一以上のユーザ特定情報（例えば、第一ユーザ識別子や、ユーザ識別子、確認情報等のうちの一以上）を有する情報である。追加指示は、更に、ユーザの追加を実行させるための命令や指示等を有していても良い。例えば、図示しない入力手段等に対して一のユーザを追加する操作が行なわれた場合に、追加指示受付部１０６は、このユーザのユーザ特定情報を取得して、このユーザ特定情報を有する追加指示を受け付ける。例えば、表示部１０３が表示している一以上のユーザ情報に対して、このユーザ情報が示すユーザを追加するための予め決められた操作が行なわれた場合、追加指示受付部１０６は、このユーザ情報に対応するユーザ特定情報を、対象格納部１０１から取得して、このユーザ特定情報を有する追加指示を受け付ける。ユーザ情報が、ユーザ特定情報である場合、追加指示受付部１０６は、ユーザ情報に対応するユーザ特定情報を対象格納部１０１から取得する代わりに、このユーザ情報であるユーザ特定情報を取得するようにしても良い。
【００７４】
例えば、追加指示受付部１０６は、表示部１０３が確認対象でないユーザのユーザ情報を表示している場合において、このユーザ情報のうちの少なくとも一以上に対応するユーザを、確認対象となるユーザに追加する指示を受け付ける。確認対象でないユーザのユーザ情報は、上述したような確認対象情報が有する第一ユーザ識別子以外の第一ユーザ識別子が示すユーザのユーザ情報である。例えば、表示部１０３が、確認対象であるユーザのユーザ情報と、確認対象でないユーザのユーザ情報とを異なる表示態様で表示する場合、確認対象でないユーザのユーザ情報は、例えば、ユーザ情報の表示態様から判断可能である。
【００７５】
また、追加指示受付部１０６は、表示部１０３が、確認対象でないユーザのユーザ確認情報を表示している場合において、このユーザ確認情報のうちの少なくとも一以上に対応するユーザを、確認対象となるユーザに追加する追加指示を受け付けるようにしてもよい。確認対象でないユーザのユーザ確認情報は、上述したような確認対象情報が有する確認情報以外の確認情報が示すユーザのユーザ確認情報である。例えば、表示部１０３が、確認対象であるユーザのユーザ確認情報と、確認対象でないユーザのユーザ確認情報とを異なる表示態様で表示する場合、確認対象でないユーザのユーザ確認情報は、例えば、ユーザ確認情報の表示態様から判断可能である。
【００７６】
なお、追加指示受付部１０６は、ユーザ情報が表示されているユーザではなく、ユーザ確認情報が表示されているユーザについて追加指示を受け付けることが好ましい。ユーザ情報を表示させることとなる第一ユーザ情報は、複数の情報処理端末１がほぼ同時に受信可能であるため、一のユーザについて複数の追加指示が複数の情報処理端末１から出力される可能性があり、確認者等の対応か混乱する可能性等があるからである。これに対し、ユーザ確認情報を表示させることとなる確認情報は、例えば、第二近距離通信により送受信されるため、確認情報は、確認者と、確認対象となるユーザとが近くに存在しなければ受信することができないため、同時に受信することが困難であるため、確認対象の変更が生じても、その変更が行なわれる短時間の間に、変更に伴う混乱等が生じにくいと考えられるからである。
【００７７】
なお、追加指示受付部１０６は、表示部１０３が表示しているユーザ等の、確認対象でない一以上のユーザのユーザ情報について、対応するユーザについての情報、例えば、ユーザの名前等の情報を検索する指示を受け付け、追加指示受付部１０６は、この指示が示すユーザについての名前等の情報を、対象格納部１０１に格納されている確認対象情報や、他の情報処理端末１やサーバ３等からの無線通信を介した検索等により取得するようにしても良い。そして、取得した情報は、上述した表示部１０３等が、図示しないモニタ等に表示してもよい。また、図示しない入力デバイス等を介してこのモニタ等に表示された情報を指定する操作を受け付けた場合に、この指定された情報に対応するユーザを、確認対象に登録する指示を受け付けるようにしてもよい。これにより、確認対象ではないユーザを、確認対象に追加することができる。また、ユーザ情報が示すユーザが、登録すべきユーザであるか否かを判断する材料を得ることができる。かかることは、ユーザ情報を、ユーザ確認情報とした場合においても同様である。
【００７８】
また、同様に、追加指示受付部１０６は、ユーザの名前等のユーザ識別子の入力を受け付け、このユーザ識別子に対応するユーザについての第一ユーザ識別子や、確認情報等を、上記と同様に、このユーザ識別子等を検索キーとして検索等により取得し、取得した第一ユーザ識別子や確認情報等を用いて、このユーザの確認対象情報を追加すること等により、このユーザを、情報処理端末１のユーザの確認対象に追加するようにしてもよい。これにより、第一ユーザ識別子や、確認情報を受け付けるか否かに関わらず、確認対象ではないユーザを、確認対象に追加することができる。例えば、通信装置２を有していないユーザを、確認対象に追加することが可能となる。
【００７９】
ここでの入力手段は、タッチパネルやキーボードやマウスやメニュー画面によるもの等、何でも良い。追加指示受付部１０６は、タッチパネルやキーボード等の入力手段のデバイスドライバーや、メニュー画面の制御ソフトウェア等で実現され得る。
【００８０】
追加部１０７は、追加指示が示すユーザを確認対象として追加する。例えば、対象格納部１０１に格納されている確認対象情報が、確認対象となるユーザを示す情報（例えば、ユーザ特定情報等）で構成される場合、追加部１０７は、追加指示が示すユーザを示す情報を、対象格納部１０１に格納されている確認対象情報に追加する。
【００８１】
なお、対象格納部１０１に格納されている確認対象情報が、対象格納部１０１に格納されている複数のユーザを示す情報（例えば、ユーザ特定情報）であって、確認対象であることを示す情報（例えば、フラグ等）が付与された情報である場合、追加指示が示すユーザを確認対象に追加する処理は、対象格納部１０１に格納されている複数のユーザを示す情報のうちの、追加指示が示すユーザを示す情報に対して、確認対象であることを示す情報を付与することであってもよい。
【００８２】
なお、表示部１０３が、確認対象であるユーザについてのユーザ情報やユーザ確認情報と、確認対象以外のユーザについてのユーザ情報やユーザ確認情報とを異なる表示態様で表示している場合においては、追加部１０７がユーザを確認対象として追加した際に、表示部１０３は、このユーザについてのユーザ情報やユーザ確認情報を、確認対象に対応した表示態様のユーザ情報やユーザ確認情報に変更して表示することが好ましい。
【００８３】
変更送信部１０８は、確認対象に変更されたユーザを示す情報（以下、変更ユーザ情報と称す）を、他の一以上の情報処理端末１に送信する。このことは、ユーザの確認を担当する確認者が変更されたことを、他の確認者に通知することと考えてもよい。ここでの確認者は、担当者と考えてもよい。変更ユーザ情報は、変更対象となるユーザを示す情報を有する情報である。例えば、変更ユーザ情報は、追加指示と同様に、変更されたユーザのユーザ特定情報を有する情報である。また、この情報は、確認対象から、変更対象となるユーザを除外することを指示する命令等の情報を有していても良い。
【００８４】
変更送信部１０８は、通常、無線通信により、変更ユーザ情報を、他の一以上の情報処理端末１に送信する。ここでの送信は、無線ネットワークを介した送信であってもよい。変更送信部１０８は、変更ユーザ情報を、他の一以上の情報処理端末１に直接送信してもよく、サーバ３や、サーバ３以外の図示しないサーバ等を介して間接的に送信してもよい。例えば、変更送信部１０８が変更ユーザ情報を、無線通信によりサーバ３に対して送信し、サーバ３が、受信した変更ユーザ情報を、送信元以外の他の情報処理端末１に送信するようにしてもよい。
【００８５】
なお、サーバ３の図示しない格納部等に、ユーザ特定情報と対応付けて、ユーザ特定情報が示すユーザを確認対象とする確認者の識別子（例えば、確認者のアカウントやメールアドレス）や、確認者が利用する情報処理端末１を特定する情報（ＩＰアドレス等）が予め格納されているようにし、変更送信部１０８が、変更ユーザ情報を、サーバ３に送信した場合に、サーバ３が、図示しない格納部に格納されているこの変更ユーザ情報が有するユーザ特定情報に対応付けられた確認者の識別子や、この確認者が利用する情報処理端末１を特定する情報を用いて、変更ユーザ情報が示すユーザを変更対象としていた確認者の情報処理端末１に、受信した変更ユーザ情報を送信することが好適である。なお、この場合、図示しない格納部に格納されているユーザ特定情報と対応付けられた、ユーザ特定情報が示すユーザを確認対象とする確認者の識別子や、確認者が利用する情報処理端末１を特定する情報等を、変更ユーザ情報を送信した情報処理端末１を特定する情報や、この情報処理端末１を利用する確認者の識別子等に変更する必要がある。
【００８６】
変更送信部１０８は、通常、無線の通信手段で実現されるが、放送手段で実現されても良い。変更送信部１０８は、通信デバイスを含むと考えても、含まないと考えても良い。
【００８７】
変更受信部１０９は、変更ユーザ情報を受信する。例えば、他の情報処理端末１またはサーバ３から無線通信により送信される変更ユーザ情報を受信する。変更受信部１０９は、通常、無線の通信手段で実現されるが、放送の受信手段で実現されても良い。変更受信部１０９は、通信デバイスを含むと考えても、含まないと考えても良い。
【００８８】
除外部１１０は、変更ユーザ情報が示すユーザを確認対象から除外する。例えば、対象格納部１０１に格納されている確認対象情報が確認対象となるユーザを示す情報（例えば、ユーザ特定情報）で構成される場合、除外部１１０は、変更ユーザ情報が示すユーザを示す情報（例えば、変更ユーザ情報が有するユーザ特定情報）を確認対象情報から削除する。あるいは、除外部１１０は、変更ユーザ情報が示すユーザを示す情報に対して、確認対象情報から除外されたことを示す旨が識別可能な情報（例えばフラグ等）を付与してもよい。このように、変更ユーザ情報が示すユーザが除外されたことを示す旨がわかるようにすることも、ここでは、除外することと考えてよい。
【００８９】
なお、対象格納部１０１に格納されている確認対象情報が、対象格納部１０１に格納されている複数のユーザを示す情報（例えば、ユーザ特定情報）であって、確認対象であることを示す情報（例えば、フラグ等）が付与された情報である場合、変更ユーザ情報が示すユーザを確認対象から除外する処理は、対象格納部１０１に格納されている複数のユーザを示す情報のうちの、変更ユーザ情報が示すユーザを示す情報に付与されている確認対象であることを示す情報を削除することであってもよい。
【００９０】
通信装置２は、例えば、携帯型の装置である。通信装置２は、例えば、ストラップ等でユーザの首からぶら下げ可能な装置や、クリップやピン等でユーザの衣類に取り付け可能な装置であることが好ましい。ただし、通信装置２は、携帯電話や、いわゆるスマートフォン等の多機能携帯端末で実現されてもよい。
【００９１】
ユーザ情報格納部２０１には、第一ユーザ識別子と、この第一ユーザ識別子に対応するユーザを確認する情報である確認情報とが格納される。つまり、ユーザ情報格納部２０１には、一のユーザについての第一ユーザ識別子と確認情報とが格納される。なお、第一ユーザ識別子と確認情報とが同じ情報である場合、第一ユーザ識別子と確認情報とのいずれか一方のみが格納されるようにして、格納された情報を、第一ユーザ識別子及び確認情報として共用するようにしてもよい。
【００９２】
なお、ユーザ情報格納部２０１は、一の記録媒体で実現されてもよく物理的に異なる複数の記録媒体で実現されてもよい。例えば、ユーザ情報格納部２０１は、第一ユーザ識別子が格納される第一の記録媒体（図示せず）と、確認情報とが格納される第二の記録媒体とで実現されてもよい。
【００９３】
第一送信部２０２は、ユーザ情報格納部２０１に格納される第一ユーザ識別子を送信する。第一送信部２０２は、例えば、近距離無線通信により第一ユーザ識別子を送信する。第一送信部２０２は、例えば、上述した第一近距離無線通信により第一ユーザ識別子を送信する。
【００９４】
第一ユーザ識別子を、一以上の情報処理端末１に対して送信する。第一送信部２０２が行なう送信は、ユニキャストによる送信であってもよく、マルチキャストによる送信であってもよく、ブロードキャストによる送信であってもよい。
【００９５】
第一送信部２０２が、第一ユーザ識別子を送信するタイミング等は問わない。例えば、第一送信部２０２は不特定の一以上の情報処理端末に対して、予め決められた一定または不定の時間間隔ごとに、第一ユーザ識別子を送信する。この場合、例えば、上述したＢｌｕｅｔｏｏｔｈ  ＬＥを用いて送信が行なわれる。また、第一送信部２０２は、図示しない受信部が、一の情報処理端末１が送信する予め決められた信号を受信した場合に、第一ユーザ識別子を送信してもよい。例えば、第一送信部２０２と、図示しない受信部とがＵＨＦ帯等で動作するＲＦＩＤタグを構成している場合、図示しない受信部が、情報処理端末１が送信する予め決められた読み出し用の信号等を受信した場合に、第一送信部２０２が、ユーザ情報格納部２０１に格納されている第一ユーザ識別子を読み出して送信する。また、ユーザから、図示しない受付部等を介して送信指示を受け付けた場合に、第一送信部２０２は、第二ユーザ識別子を送信してもよい。
【００９６】
第一送信部２０２は、通常、無線の通信手段で実現されるが、放送手段で実現されても良い。第一送信部２０２は、通信デバイスを含むと考えても、含まないと考えても良い。
【００９７】
第二送信部２０３は、ユーザ情報格納部２０１に格納される確認情報を送信する。第二送信部２０３は、例えば、近距離無線通信により確認情報を送信する。第二送信部２０３は、例えば、上述した第二近距離無線通信により確認情報を送信する。
【００９８】
第二送信部２０３が、確認情報を送信するタイミング等は問わない。例えば、第二送信部２０３がＮＦＣやＬＦ帯やＨＦ帯等のＲＦＩＤの送信部である場合、通信装置２が情報処理端末１に対して近接して配置され、通信装置２の図示しない受信部等が、一の情報処理端末１の図示しない送信部が送信する読出用の信号等を受信した場合に、第一送信部２０２が、ユーザ情報格納部２０１に格納されている確認情報を読み出して送信する。また、ユーザから、図示しない受付部等を介して送信指示を受け付けた場合に、第二送信部２０３は、確認情報を送信してもよい。
【００９９】
第二送信部２０３は、通常、無線の通信手段で実現されるが、放送手段で実現されても良い。第二送信部２０３は、通信デバイスを含むと考えても、含まないと考えても良い。
【０１００】
サーバ３は、無線通信を介して、一以上の情報処理端末１と情報の送受信が可能なサーバである。サーバ３は、例えば、コンピュータ等で実現可能である。なお、サーバ３は、ユーザの位置情報を、通信装置２が送信する情報等から取得して、避難経路の探索等を行ない、その経路を示す情報をユーザに対して通知する処理を更に実行可能なサーバであってもよい。
【０１０１】
サーバ受信部３０１は、情報処理端末１から確認受付情報を受信する。例えば、サーバ受信部３０１は、例えば、情報処理端末１から、確認受付情報と、この情報処理端末１を利用する確認者の識別子との組を受信してもよい。サーバ受信部３０１は、通常、無線の通信手段で実現されるが、放送手段で実現されても良い。サーバ受信部３０１は、通信デバイスを含むと考えても、含まないと考えても良い。
【０１０２】
サーバ出力部３０２は、サーバ受信部３０１が受信した確認受付情報を出力する。確認受付情報の出力は、確認受付情報の一部の出力であってもよい。例えば、確認受付情報の出力は、確認受付情報である複数のユーザ特定情報のうちの一部の出力であってもよい。
【０１０３】
なお、サーバ出力部３０２は、全ての確認対象となるユーザについての確認受付情報等を受信したか否かを判断し、受信したと判断した場合に、判断結果を予め決められた通知先（例えば、避難確認の代表者等）に通知するようにしてもよい。これにより、例えば、避難の完了を確認することができる。また、確認者毎に、確認対象となる全てのユーザについての確認受付情報等を受信したか否かを判断し、判断結果を、予め決められた通知先に通知するようにしてもよい。これにより、確認者毎の確認状況を、代表者等が容易に把握できる。
【０１０４】
ここでの出力は、例えば、ディスプレイへの表示、プロジェクターを用いた投影、プリンタへの印字、外部の装置への送信、記録媒体への蓄積、他の処理装置や他のプログラム等への処理結果の引渡し等を含む概念である。
【０１０５】
サーバ出力部３０２は、ディスプレイやデータの蓄積手段等の出力デバイスを含むと考えても含まないと考えても良い。出力部は、出力デバイスのドライバーソフトまたは、出力デバイスのドライバーソフトと出力デバイス等で実現され得る。
【０１０６】
なお、サーバ３は、上記以外の手段、例えば、変更ユーザ情報の送受信を行なうための手段等を備えていても良い。また、第一ユーザ情報や、確認情報に対応するユーザの情報を検索する指示（例えば、クエリ等）を受信する手段（図示せず）や、この指示に応じて検索を行なってユーザについての情報（例えば、ユーザの名前等）を取得する手段（図示せず）や、その検索に用いられるデータベース（図示せず）や、検索結果を情報処理端末１に送信する手段（図示せず）等を備えていても良い。また、サーバ３は、表示手段（図示せず）や、図示しない格納部等を備えていても良い。
【０１０７】
次に、避難支援システム１０００の情報処理端末１の動作の一例について図２のフローチャートを用いて説明する。ここでは、一例として、対象格納部１０１には、確認対象のユーザと、確認対象以外のユーザと、のそれぞれについての複数のユーザ特定情報の組である第一ユーザ識別子と、第一ユーザ識別子とは異なるユーザ識別子と、確認情報と、の組が格納されており、確認対象のユーザのこれらの組には、確認対象であることを示すフラグの情報が対応付けられているものとする。このフラグの情報が対応付けられた上記の組の情報が、ここでは、確認対象情報であるとする。なお、確認対象であることを示すフラグの情報が対応付けられていることは、確認対象でないユーザの組に、確認対象でないことを示すフラグの情報が対応付けられていることも含む概念であると考えてもよい。
【０１０８】
（ステップＳ１０１）受信部１０２は、一の通信装置２から第一ユーザ識別子を受信したか否かを判断する。受信した場合、ステップＳ１０２に進み、受信していない場合、ステップＳ１０４に進む。なお、例えば、重複した第一ユーザ識別子の受信を避けるため、受信した第一ユーザ識別子については、図示しない格納部等に蓄積するようにし、再度、同じ第一ユーザ識別子を受信した場合には、ステップＳ１０４に進むようにしてもよい。
【０１０９】
（ステップＳ１０２）表示部１０３は、ステップＳ１０１で受信した第一ユーザ識別子が、確認対象のユーザの第一ユーザ識別子であるか否かを判断する。例えば、表示部１０３は、受信した第一ユーザ識別子が、確認対象情報が有する第一ユーザ識別子のうちのいずれかと一致するか否かを判断し、一致する場合、確認対象のユーザの第一ユーザ識別子であると判断し、一致しない場合、確認対象のユーザの第一ユーザ識別子でないと判断する。
【０１１０】
（ステップＳ１０３）表示部１０３は、ステップＳ１０１で受信した第一ユーザ識別子が示すユーザに対応するユーザ情報を、ステップＳ１０２の判断結果に応じた表示態様で表示する。つまり、確認対象のユーザのユーザ情報と、確認対象以外のユーザのユーザ情報とを異なる表示態様で表示する。そして、ステップＳ１０１に戻る。
【０１１１】
（ステップＳ１０４）確認情報受付部１０４は、通信装置２から確認情報を受信したか否かを判断する。受信した場合、ステップＳ１０５に進み、受信していない場合、ステップＳ１０８に進む。なお、例えば、重複した確認情報の受信を避けるため、受信した第一ユーザ識別子については、図示しない格納部等に蓄積するようにし、再度、同じ第一ユーザ識別子を受信した場合には、ステップＳ１０９に進むようにしてもよい。
【０１１２】
（ステップＳ１０５）送信部１０５は、ステップＳ１０４で受信した確認情報（または、ステップＳ１０８で受け付けた確認情報）が、確認対象のユーザの確認情報であるか否かを判断する。例えば、送信部１０５は、ステップＳ１０４で受信した確認情報（または、ステップＳ１０８で受け付けた確認情報）が、確認対象情報が有する確認情報のうちのいずれかと一致するか否かを判断し、一致する場合、確認対象のユーザの確認情報であると判断し、一致しない場合、確認対象のユーザの確認情報でないと判断する。
【０１１３】
（ステップＳ１０６）表示部１０３は、ステップＳ１０４で受信した確認情報（または、ステップＳ１０８で受け付けた確認情報）に対応したユーザ確認情報を、ステップＳ１０５の判断結果に応じた表示態様で表示する。つまり、確認対象のユーザのユーザ確認情報と、確認対象以外のユーザのユーザ確認情報とを異なる表示態様で表示する。
【０１１４】
（ステップＳ１０７）送信部１０５は、ステップＳ１０５において、確認対象のユーザの確認情報であると判断した確認情報に対応するユーザについての確認受付情報をサーバ３に対して送信する。そして、ステップＳ１０１に戻る。なお、確認対象のユーザの確認情報であると判断した確認情報がなかった場合は、送信を行なわずに、ステップＳ１０１に戻る。
【０１１５】
（ステップＳ１０８）確認情報受付部１０４は、図示しない入力デバイス等を介して、ユーザ等から確認情報の入力を受け付けたか否かを判断する。受け付けた場合、ステップＳ１０５に進み、受け付けていない場合、ステップＳ１０９に進む。
【０１１６】
（ステップＳ１０９）追加指示受付部１０６は、一以上のユーザについて追加指示を受け付けたか否かを判断する。例えば、追加指示受付部１０６は、ステップＳ１０７で表示部１０３が表示した確認対象以外のユーザのユーザ確認情報が示すユーザについての追加指示を受け付けたか否かを判断する。受け付けた場合、ステップＳ１１０に進み、受け付けていない場合、ステップＳ１１５に進む。
【０１１７】
（ステップＳ１１０）追加部１０７は、追加指示が示すユーザを確認対象に追加する。例えば、追加部１０７は、追加指示が示すユーザを確認対象情報に追加する。例えば、追加部１０７は、追加指示が示すユーザの第一ユーザ識別子と、ユーザ識別子と、確認情報との組に対して、確認対象であることを示すフラグ等の情報を付与する。
【０１１８】
（ステップＳ１１１）表示部１０３は、ステップＳ１１０で追加されたユーザのユーザ情報や、ユーザ確認情報の表示を変更する。ここでの変更は、更新と考えてもよい。例えば、表示部１０３は、ステップＳ１１０で追加されたユーザのユーザ情報や、ユーザ確認情報の表示態様を、確認対象のユーザ情報や、ユーザ確認情報に対応する表示態様に変更する。
【０１１９】
（ステップＳ１１２）変更送信部１０８は、ステップＳ１０９で受け付けた追加指示が示すユーザについての変更ユーザ情報を送信する。
【０１２０】
（ステップＳ１１３）送信部１０５は、ステップＳ１１０で追加されたユーザについて、確認情報を受付済であるか否かを判断する。受付済である場合、ステップＳ１１４に進み、受付済でない場合、ステップＳ１０１に戻る。
【０１２１】
（ステップＳ１１４）送信部１０５は、ステップＳ１１０で追加されたユーザについての確認受付情報をサーバ３に送信する。そして、ステップＳ１０１に戻る。
【０１２２】
（ステップＳ１１５）変更受信部１０９は、他の情報処理端末１から送信される変更ユーザ情報を受信する。
【０１２３】
（ステップＳ１１６）除外部１１０は、ステップＳ１１５で受信した変更ユーザ情報が示すユーザを確認対象から除外する。例えば、除外部１１０は、変更ユーザ情報が示すユーザの第一ユーザ識別子と、第一ユーザ識別子とは異なるユーザ識別子と、確認情報との組に対して付与されていた確認対象であることを示すフラグ等の情報を削除する。なお、変更ユーザ情報が示すユーザの第一ユーザ識別子と、第一ユーザ識別子とは異なるユーザ識別子と、確認情報との組に確認対象であることを示すフラグ等の情報が付与されていない場合、フラグ等の情報の削除等は不要である。そして、ステップＳ１０１に戻る。
【０１２４】
なお、図２のフローチャートにおいて、電源オフや処理終了の割り込みにより処理は終了する。
【０１２５】
以下、通信装置２の動作を簡単に説明すると、第一送信部２０２は、ユーザ情報格納部２０１に格納されている第一ユーザ識別子を読出して送信する。また、第二送信部２０３は、ユーザ情報格納部２０１に格納されている確認情報を読み出して送信する。
【０１２６】
以下、サーバ３の動作を簡単に説明すると、サーバ受信部３０１は、情報処理端末１から送信される確認受付情報を受信し、サーバ出力部３０２は、サーバ受信部３０１が受信した確認受付情報を出力する。
【０１２７】
以下、本実施の形態における避難支援システム１０００の具体的な動作について説明する。図３（ａ）は、避難場所の状況を示す模式図であり、図３（ｂ）は、通信装置２を有しているユーザ（避難者）２０の一例を示す模式図である。ここでは、複数の確認者１０ａ−１０ｃが情報処理端末１をそれぞれ有しており、複数の避難者となるユーザ２０が通信装置２をそれぞれ有しているものとする。確認者１０ａ−１０ｃがそれぞれ保持している情報処理端末１を、ここでは、情報処理端末１ａ−１ｃとして表している。通信装置２は、例えば、カード状の形状を有しており、避難者であるユーザ２０は、例えば、図３（ｂ）に示すように、通信装置２をストラップ等で首から提げているものとする。ただし、通信装置２の形状や、ユーザ２０への取り付け方等は問わない。各ユーザ２０が有している通信装置２のユーザ情報格納部２０１には、各ユーザの第一ユーザ識別子が予め格納されているものとする。この第一ユーザ識別子は、確認情報も兼ねており、確認情報としても適宜、利用されるものとする。なお、ユーザ２０のうちの一部を、ここでは、ユーザ２０ａ−２０ｄとして表し、ユーザ２０ａ−２０ｄがそれぞれ有する通信装置２を、通信装置２ａ−２ｄとして表している。また、ユーザ２０ｅは、避難者であるが、通信装置２の所持を忘れたユーザであるとする。
【０１２８】
図４は、情報処理端末１ａが有する対象格納部１０１に格納されているユーザ特定情報を管理するユーザ特定情報管理表を示す図である。ユーザ特定情報管理表は、「第一ユーザＩＤ」と、「名前」と、「確認対象」と、「受信」と、「確認」という属性を有している。「第一ユーザＩＤ」は、第一ユーザ識別子である。ここでは、第一ユーザ識別子は、同一ユーザの確認情報も兼ねており、第一ユーザ識別子は、確認情報としても用いられるものであるとする。「名前」は、ユーザ特定情報であるユーザの名前である。「確認情報」は、確認対象のユーザであるか否かを示すフラグであり、「確認情報」が「１」である場合は、同じレコード（行）のユーザ特定情報である「第一ユーザＩＤ」や、「名前」の属性値が示すユーザが、情報処理端末１を利用する確認者の確認対象であり、「確認情報」が「１」であるレコードが確認対象情報に相当する。「確認情報」が空欄、即ち属性値が「Ｎｕｌｌ」である場合、確認対象でないことを示す。「受信」は、対応する第一ユーザ識別子を受信したか否かを示すフラグであり、対応する第一ユーザ識別子を受信した場合の値が「１」であり、受信していない場合の値が「Ｎｕｌｌ」であるとする。「確認」は、対応する確認情報を受け付けたか否かを示すフラグであり、対応する確認情報を受け付けた場合の値が「１」であり、受付けていない場合の値が「Ｎｕｌｌ」であるとする。
【０１２９】
例えば、避難が必要な状況となり、図３（ａ）に示すように、予め決められた避難場所に確認者１０ａ−１０ｃとユーザ２０とが集まってきたとする。
【０１３０】
ユーザ２０が有する通信装置２の第一送信部２０２は、Ｂｌｕｅｔｏｏｔｈ  ＬＥにより、予め決められた時間間隔ごとに、ユーザ情報格納部２０１に格納されている第一ユーザ識別子を読出して無線送信しているものとする。第一送信部２０２が第一ユーザ識別子を送信可能な範囲は、例えば、約３０ｍであるとする。
【０１３１】
例えば、ユーザ２０ａが、確認者１０ａから約３０ｍの距離に近づき、確認者１０ａが保持する情報処理端末１が、このユーザ２０ａの通信装置２ａの第一送信部２０２が通信可能な範囲内に位置することとなったとする。
【０１３２】
確認者１０ａが保持する情報処理端末１の受信部１０２が、このユーザ２０ａの第一送信部２０２が送信する第一ユーザ識別子を受信したとする。受信した第一ユーザ識別子は、「１００１００１１」であったとする。
【０１３３】
表示部１０３は、図４に示したユーザ特定情報管理表において、「第一ユーザＩＤ」の値が、この第一ユーザ識別子「１００１００１１」と一致するレコードを検索する。ここでは図４の上から一行目のレコードの「第一ユーザＩＤ」の値が、この第一ユーザ識別子「１００１００１１」と一致するため、一致するレコードが検索されたとする。一致するレコードが検出されたため、表示部１０３は、このレコードの「受信」の値を「１」に更新する。
【０１３４】
同様に、確認者１０ａが保持する情報処理端末１の受信部１０２が、ユーザ２０ｂの第一送信部２０２が送信する第一ユーザ識別子「１００１００１２」を受信したとすると、表示部１０３は、図４に示したユーザ特定情報管理表において、「第一ユーザＩＤ」の値が、この第一ユーザ識別子「１００１００１２」と一致するレコードを検索する。ここでは一致するレコードが検索されたとすると、表示部１０３は、このレコードの「受信」の値を「１」に更新する。
【０１３５】
また、同様に、確認者１０ａが保持する情報処理端末１の受信部１０２が、ユーザ２０ｂの第一送信部２０２が送信する第一ユーザ識別子「１００１００１３」を受信したとすると、表示部１０３は、図４に示したユーザ特定情報管理表において、「第一ユーザＩＤ」の値が、この第一ユーザ識別子「１００１００１３」と一致するレコードを検索する。ここでは一致するレコードが検索されたとすると、表示部１０３は、このレコードの「受信」の値を「１」に更新する。
【０１３６】
図５は、「受信」の値が更新されたユーザ特定情報管理表を示す図である。
【０１３７】
表示部１０３は、図４に示したユーザ特定情報管理表の「受信」の値が更新されたため、ユーザ情報の表示を行なう。なお、ここでは、説明の便宜上、複数の第一ユーザ識別子を受信した後に、ユーザ情報の表示を行なうようにしているが、個々の第一ユーザ識別子を受信する毎に、ユーザ情報の表示を行なうようにしてもよい。かかることは、確認情報の受信と、ユーザ確認情報の表示との場合においても同様である。
【０１３８】
まず、表示部１０３は、確認対象のユーザのユーザ情報の表示画面を、予め用意されたテンプレート（図示せず）を用いて作成する。例えば、表示部１０３は、図５に示したユーザ特定情報管理表において、「確認対象」の属性値が「１」であるレコードを検出する。そして、検出したレコードの「名前」を配置して名前のリストを作成する。また、検出したレコードのうちの「受信」の値が、「１」であるレコードを検出し、上記で生成したリストの、「受信」の値が「１」であるレコードの「名前」が配置されたリスト項目に、第一ユーザ識別子を受信したことを表すチェックを入れたボタンを配置する。その他のリスト項目には、チェックが入っていないボタンが配置される。そして、このようにして作成されたリストを示す表示画面を、表示部１０３は、情報処理端末１のモニタ１０３ａに表示する。このリストの、第一ユーザ識別子を受信したことを表すチェックを入れたボタンが配置されたリスト項目が、確認対象のユーザのユーザ情報である。
【０１３９】
図６は、表示部１０３が、モニタ１０３ａに表示する確認対象のユーザのユーザ情報を示す図である。図に示すように、第一ユーザ識別子を受信したユーザの名前の横の、「Ｂ」という欄（列）の中には、第一ユーザ識別子を受信したことを表すチェックを入れたボタン６０の画像が表示されている。このチェックを入れたボタン６０の画像が表示されているリスト項目が、確認対象のユーザ情報である。
【０１４０】
また、表示部１０３は、確認対象でないユーザのユーザ情報の表示画面を、予め用意されたテンプレート（図示せず）を用いて作成する。例えば、表示部１０３は、図５に示したユーザ特定情報管理表において、「確認対象」の属性値が「１」でないレコードであって、「受信」の値が「１」または「確認」の値が「１」であるレコードを検出する。そして、検出したレコードの「名前」を配置して名前のリストを作成する。また、「受信」の値が「１」であるレコードの「名前」が配置されたリスト項目に、第一ユーザ識別子を受信したことを表すチェックを入れたボタンを配置する。また、「確認」の値が「１」であるレコードの「名前」が配置されたリスト項目に、確認情報を受信したことを表すチェックを入れたボタンを配置する。このリストの、第一ユーザ識別子を受信したことを表すチェックを入れたボタンが配置されているリスト項目が、確認対象以外のユーザ情報である。なお、ここでは、ユーザ情報と、ユーザ確認情報とを一のリストにおいて同時に表示しているが、ユーザ情報だけを表示する場合、「確認」の値が「１」であるレコードの検出等は行なわないようにすればよい。
【０１４１】
そして、表示部１０３は、図６に示したユーザ情報の画面において、確認対象以外のユーザ情報を表示するボタン６５をおす操作を、図示しないタッチパネル等の受付部等を介して受け付けた場合に、上記で作成した「確認対象」の属性値が「１」でないレコードに対応したリストの表示画面を、図６の表示画面と切り替えて、情報処理端末１のモニタ１０３ａに表示する。
【０１４２】
図７は、表示部１０３が表示する確認対象とは異なるユーザのユーザ確認情報を示す図である。図に示すように、第一ユーザ識別子を受信したユーザの名前の横の、「Ｂ」という欄（列）の中には、第一ユーザ識別子を受信したことを表すチェックを入れたボタン７０の画像が表示されている。この表示画面のチェックを入れたボタン７０の画像が表示されているリスト項目が、確認対象以外のユーザ確認情報である。このように、表示部１０３は、確認対象のユーザ確認情報と、確認対象以外のユーザ確認情報とを、異なる表示態様、ここでは切り替え表示可能な態様で表示する。
【０１４３】
確認者１０ａが、例えば、避難場所において、ユーザ２０ａと対面し、ユーザ２０ａが持つ通信装置２ａを確認者１０ａが持つ情報処理端末１ａに近づけたとすると、ＮＦＣにより、通信装置２ａの第二送信部２０３は、ユーザ情報格納部２０１に格納されている確認情報を読出して送信し、情報処理端末１ａの確認情報受付部１０４は、通信装置２ａから送信される確認情報を受信する。ここでの確認情報は、上述したように、第一送信部２０２が送信する第一ユーザ識別子と同じ「１００１００１１」であるとする。
【０１４４】
表示部１０３は、図５に示したユーザ特定情報管理表において、「第一ユーザＩＤ」の値が、この確認「１００１００１１」と一致するレコードを検索する。ここでは図４の上から一行目のレコードの「第一ユーザＩＤ」の値が、この第一ユーザ識別子「１００１００１１」と一致するため、一致するレコードが検索されたとする。一致するレコードが検出されたため、表示部１０３は、このレコードの「確認」の値を「１」に更新する。
【０１４５】
また、同様に、情報処理端末１ａの確認情報受付部１０４は、ＮＦＣにより、通信装置２ｂから送信される確認情報「１００１００１２」を受信し、表示部１０３は、図５に示したユーザ特定情報管理表において、「第一ユーザＩＤ」の値が、この確認情報「１００１００１３」と一致するレコードを検出し、検出されたレコードの「確認」の値を「１」に変更する。
【０１４６】
また、同様に、情報処理端末１ａの確認情報受付部１０４は、ＮＦＣにより、通信装置２ｃから送信される確認情報「１００１００１３」を受信し、表示部１０３は、図５に示したユーザ特定情報管理表において、「第一ユーザＩＤ」の値が、この確認情報「１００１００１３」と一致するレコードを検出し、検出されたレコードの「確認」の値を「１」に変更する。
【０１４７】
また、情報処理端末１ａの確認情報受付部１０４は、ＮＦＣにより、通信装置２ｅから送信される確認情報「１００１００１５」を受信し、表示部１０３は、図５に示したユーザ特定情報管理表において、「第一ユーザＩＤ」の値が、この確認情報「１００１００１５」と一致するレコードを検出し、検出されたレコードの「確認」の値を「１」に変更する。
【０１４８】
また、確認者１０ａが、例えば、避難場所において、通信装置２を所持し忘れたユーザ２０ｅと対面したとする。このため、確認者１０ａは、情報処理端末１ａを操作して、図８に示すように、モニタ１０３ａに、確認情報を手入力で受け付けるための入力画面を表示させたとする。
【０１４９】
ユーザ２０ｅは、図８に示した入力画面を用いて、図示しないタッチパネル等を介して、ユーザ２０ｅに割り当てられた確認情報「１００１００１４」を手入力により入力したとする。情報処理端末１ａの確認情報受付部１０４は、入力された確認情報「１００１００１４」を受け付け、表示部１０３は、図５に示したユーザ特定情報管理表において、「第一ユーザＩＤ」の値が、この確認情報「１００１００１４」と一致するレコードを検出し、検出されたレコードの「確認」の値を「１」に変更する。
【０１５０】
図９は、「確認」の値が更新されたユーザ特定情報管理表を示す図である。
【０１５１】
表示部１０３は、図９に示すようにユーザ特定情報管理表の「確認」の値が更新されたため、予め用意されたテンプレート（図示せず）を用いてユーザ確認情報の表示を行なう。まず、表示部１０３は、確認対象のユーザのユーザ確認情報の表示画面を作成する。例えば、表示部１０３は、ユーザ情報を表示する場合と同様に、図９に示したユーザ特定情報管理表において、「確認対象」の属性値が「１」であるレコードを検出する。そして、検出したレコードの「名前」を配置して名前のリストを作成する。また、検出したレコードのうちの「受信」の値が、「１」であるレコードを検出し、上記で生成したリストの、「受信」の値が「１」であるレコードの「名前」が配置されたリスト項目に、第一ユーザ識別子を受信したことを表すチェックを入れたボタンを配置する。その他のリスト項目には、第一ユーザ識別子を受信したことを表すチェックが入っていないボタンが配置される。また、上記で検出したレコードのうちの「確認」の値が、「１」であるレコードを検出し、上記で生成したリストの、「確認」の値が「１」であるレコードの「名前」が配置されたリスト項目に、確認情報を受信したことを表すチェックを入れたボタンを配置する。その他のリスト項目には、確認情報を受信したことを表すチェックが入っていないボタンが配置される。
【０１５２】
そして、このようにして作成されたリストを示す表示画面を、表示部１０３は、情報処理端末１のモニタ１０３ａに表示する。このリストの、確認情報を受信したことを表すチェックを入れたボタンが配置されたリスト項目が、確認対象のユーザのユーザ確認情報である。
【０１５３】
図１０は、表示部１０３が、モニタ１０３ａに表示する確認対象のユーザのユーザ確認情報を示す図である。図に示すように、第一ユーザ識別子を受信したユーザの名前の横の、「Ｎ」という欄（列）の中には、確認情報を受信したことを表すチェックを入れたボタン６１の画像が表示されている。このチェックを入れたボタン６１の画像が表示されているリスト項目が、確認対象のユーザ確認情報である。
【０１５４】
また、表示部１０３は、確認対象でないユーザのユーザ確認情報の表示画面を、予め用意されたテンプレート（図示せず）を用いて作成する。例えば、表示部１０３は、図５に示したユーザ特定情報管理表において、「確認対象」の属性値が「１」でないレコードであって、「受信」の値が「１」または「確認」の値が「１」であるレコードを検出する。そして、検出したレコードの「名前」を配置して名前のリストを作成する。また、「受信」の値が「１」であるレコードの「名前」が配置されたリスト項目に、第一ユーザ識別子を受信したことを表すチェックを入れたボタンを配置する。また、「確認」の値が「１」であるレコードの「名前」が配置されたリスト項目に、確認情報を受信したことを表すチェックを入れたボタンを配置する。このリストの確認情報を受信したことを表すチェックを入れたボタンが配置されているリスト項目が、確認対象以外のユーザ確認情報である。なお、ここでは、ユーザ情報と、ユーザ確認情報とを一のリストにおいて同時に表示しているが、ユーザ確認情報だけを表示する場合、「受信」の値が「１」であるレコードの検出等は行なわないようにすればよい。
【０１５５】
そして、表示部１０３は、図１０に示したユーザ情報の表示画面において、確認対象以外のユーザ情報を表示するボタン６５をおす操作を、図示しないタッチパネル等の受付部等を介して受け付けた場合に、上記で作成した「確認対象」の属性値が「１」でないレコードに対応したリストの表示画面を、図１０の表示画面と切り替えて、情報処理端末１のモニタ１０３ａに表示する。
【０１５６】
図１１は、表示部１０３が表示する確認対象とは異なるユーザのユーザ確認情報を示す図である。図に示すように、確認情報を受信したユーザの名前の横の、「Ｎ」という欄（列）の中には、チェックを入れたボタン７１の画像が表示されている。この表示画面のチェックを入れたボタン７１の画像が表示されているリスト項目が、確認対象以外のユーザ確認情報である。このように、表示部１０３は、確認対象のユーザ確認情報と、確認対象以外のユーザ確認情報とを、異なる表示態様、ここでは切り替え表示可能な態様で表示する。
【０１５７】
確認情報受付部１０４が、新たな確認情報を受け付けると、送信部１０５は、確認受付情報をサーバ３に送信する処理を行なう。例えば、送信部１０５は、表示部１０３が、確認対象のユーザ確認情報を表示した場合、このユーザ確認情報に対応するユーザを示す確認受付情報をサーバ３に無線通信により送信する。例えば、表示部１０３が表示した確認対象のユーザ確認情報に対応する第一ユーザ識別子を、確認受付情報として、サーバ３に送信する。なお、表示部１０３が表示した確認対象のユーザ確認情報に対応する第一ユーザ識別子と、既に一度送信した第一ユーザ識別子との差分のみを送信するようにしてもよい。ここでは、例えば、図９に示したユーザ特定情報管理表の「確認対象」の値、および「確認」の値がいずれも「１」であるレコードの「第一ユーザＩＤ」の値である「１００１００１１」と、「１００１００１４」とが確認受付情報として、サーバ３に送信される。
【０１５８】
サーバ３のサーバ受信部３０１は、情報処理端末１ａから送信される確認受付情報である「１００１００１１」と、「１００１００１４」とを受信し、サーバ出力部３０２は、受信した確認受付情報を、図示しない格納部等に蓄積する。また、サーバ出力部３０２は、蓄積した確認受付情報を、図示しないモニタ等に表示してもよい。
【０１５９】
ここで、確認者１０ａが、図１１に示された確認対象とは異なるユーザのユーザ確認情報を見て、リスト項目７５に示す「名前」が「木下Ｃ男」であるユーザと、リスト項目７６に示す「名前」が「田中Ｅ夫」であるユーザについては、既に確認情報を受け付けていることがユーザ確認情報によって示されており、避難が確認されていることから、この二人のユーザを確認対象に変更することを考えたとする。そして、確認者１０ａが、図１１に示したリストから、リスト項目７５およびリスト項目７６のユーザを、確認対象に変更するための予め決められた操作を行なったとする。
【０１６０】
確認者１０ａが上記の操作を行なうと、追加指示受付部１０６は、図１１に示したリストのリスト項目７５およびリスト項目７６に対応するユーザ、具体的には、第一ユーザ識別子が「１００１００１３」であるユーザと、第一ユーザ識別子が「１００１００１５」であるユーザとを、確認対象に追加する追加指示を受け付ける。
【０１６１】
追加部１０７は、この追加指示に応じて、図９に示したユーザ特定情報管理表の「第一ユーザＩＤ」の値が「１００１００１３」であるレコードと、「１００１００１５」であるレコードとの「確認対象」の値をそれぞれ「１」に更新する。
【０１６２】
図１２は、「確認」の値が更新されたユーザ特定情報管理表を示す図である。
【０１６３】
「確認対象」の値が更新されたため、表示部１０３は、上述したユーザ情報の表示や、ユーザ確認情報の表示を、上記と同様の処理を行なうことで更新する。この更新により、「第一ユーザＩＤ」の値が「１００１００１３」であるユーザと、「１００１００１５」であるユーザのユーザ情報と、ユーザ確認情報とは、図１３に示すように、確認対象のユーザのユーザ情報とユーザ確認情報として表示されることとなる。
【０１６４】
また、変更送信部１０８は、確認対象に追加された二人のユーザについての変更ユーザ情報を、他の情報処理端末１ｂおよび１ｃに送信する。送信する変更ユーザ情報は、例えば、追加された二人のユーザの第一ユーザ識別子である「１００１００１３」および「１００１００１５」である。ここでの送信は、ブロードキャストによる送信であってもよい。
【０１６５】
また、送信部１０５は、確認対象に追加された二人のユーザについては、既に、確認情報を受け付けているため、この二人のユーザについての確認受付情報を、サーバ３に送信する。
【０１６６】
ここで、情報処理端末１ａの変更受信部１０９が、情報処理端末１ｂから、第一ユーザ識別子が「１００１００１２」を有する変更ユーザ情報を受信したとする。
【０１６７】
除外部１１０は、図９に示したユーザ特定情報管理表において、「第一ユーザＩＤ」が、変更受信部１０９が受信した変更ユーザ情報が示す第一ユーザ識別子「１００１００１２」と一致するレコードを検索する。ここでは、図１２に示したユーザ特定情報管理表の上から二行目に、一致するレコードが検出されたとする。除外部１１０は、このレコードの「確認対象」の値を、「１」から空欄、即ち「Ｎｕｌｌ」に更新する。これにより、このレコードのユーザを確認対象から除外することができる。
【０１６８】
なお、上記具体例においては、第一ユーザ識別子と、ユーザの名前とを用いて、ユーザ情報やユーザ確認情報を表示する際に、第一ユーザ識別子に対応するユーザの名前を表示するようにしたが、本発明においては、ユーザの名前を用いる代わりに、第一ユーザ識別子を用いて、ユーザ情報やユーザ確認情報を表示する際に、第一ユーザ識別子を表示するようにしてもよい。
また、上記具体例においては、確認対象情報が、確認対象以外のユーザに関するユーザ特定情報等の情報を有している場合について説明したが、本発明においては、確認対象情報が、確認対象のユーザに関するユーザ特定情報等の情報のみを有するようにしてもよい。この場合、確認対象以外のユーザに関する情報（例えば、ユーザ識別子等）が必要な場合においては、適宜、サーバ３等から検索等により取得するようにしてもよい。この場合、サーバ３は、例えば、全ての情報処理端末１の確認対象となるユーザに関する情報を、図示しない格納部等に有しているようにすることが好ましい。
【０１６９】
以上、本実施の形態によれば、受信した第一ユーザ識別子に対応するユーザ情報を表示することで、迅速に、ユーザのおおよその集合状況、例えば、避難状況を把握することができる。また、確認情報を受信した場合に、確認受付情報をサーバに送信することで、正確なユーザの集合状況をサーバに通知することができる。
【０１７０】
例えば、第一近距離無線通信により、ユーザの集合状況をおおまかに把握して、近くにいることが判明したユーザについては、直接対面して第二近距離無線通信等で確認情報を受け付け、所在を確認することで、近くにいることが不明であるユーザを捜す手間等を削減して、迅速な避難確認を行なうことができる。
【０１７１】
なお、上記実施の形態においては、避難支援システム１０００について説明したが、本発明の、情報処理端末１や、通信装置２や、一以上の情報処理端末１と二以上の通信装置２とサーバ３との組み合わせ等は、避難を支援する目的以外の、集合したユーザの確認等に用いるようにしてもよい。このような場合においても、適切にユーザの確認を行なうことが可能となる。
【０１７２】
なお、上記実施の形態において、各処理（各機能）は、単一の装置（システム）によって集中処理されることによって実現されてもよく、あるいは、複数の装置によって分散処理されることによって実現されてもよい。
【０１７３】
また、上記実施の形態において、一の装置に存在する２以上の通信手段（情報送信部など）は、物理的に一の媒体で実現されても良いことは言うまでもない。
【０１７４】
また、上記各実施の形態では、情報処理端末がスタンドアロンである場合について説明したが、情報処理端末は、スタンドアロンの装置であってもよく、サーバ・クライアントシステムにおけるサーバ装置であってもよい。後者の場合には、出力部や受付部は、通信回線を介して入力を受け付けたり、画面を出力したりすることになる。
【０１７５】
また、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。その実行時に、プログラム実行部は、格納部（例えば、ハードディスクやメモリ等の記録媒体）にアクセスしながらプログラムを実行してもよい。
【０１７６】
なお、上記各実施の形態における情報処理端末を実現するソフトウェアは、以下のようなプログラムである。つまり、このプログラムは、コンピュータを、第一ユーザ識別子を受信する受信部と、受信部が受信した第一ユーザ識別子に対応するユーザに関する情報であるユーザ情報を表示する表示部と、ユーザを確認する情報である確認情報を受け付ける確認情報受付部と、確認情報受付部が受け付けた確認情報に関する情報である確認受付情報をサーバに送信する送信部として機能させるためのプログラムである。
【０１７７】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０１７８】
また、このプログラムを実行するコンピュータは、単数であってもよく、複数であってもよい。すなわち、集中処理を行ってもよく、あるいは分散処理を行ってもよい。
【０１７９】
図１４は、上記プログラムを実行して、上記実施の形態による情報処理端末を実現するコンピュータシステム９００の一例を示す図である。上記実施の形態は、コンピュータハードウェア及びその上で実行されるコンピュータプログラムによって実現されうる。
【０１８０】
図１４において、コンピュータシステム９００は、ＭＰＵ（Ｍｉｃｒｏ  Ｐｒｏｃｅｓｓｉｎｇ  Ｕｎｉｔ）９１１と、ブートアッププログラム等のプログラムや、アプリケーションプログラム、システムプログラム、及びデータが記憶されるフラッシュメモリ等のＲＯＭ９１２と、ＭＰＵ９１１に接続され、アプリケーションプログラムの命令を一時的に記憶すると共に、一時記憶空間を提供するＲＡＭ９１３と、タッチパネル９１４と、無線通信モジュール９１５と、ＭＰＵ９１１、ＲＯＭ９１２等を相互に接続するバス９１６とを備える。なお、無線通信モジュール９１５に代えて、有線通信モジュールを備えていてもよい。また、タッチパネル９１４に代えて、ディスプレイと、マウスやキーボード等の入力デバイスとを備えていてもよい。
【０１８１】
コンピュータシステム９００に、上記実施の形態による情報処理端末の機能を実行させるプログラムは、無線通信モジュール９１５を介してＲＯＭ９１２に記憶されてもよい。プログラムは実行の際にＲＡＭ９１３にロードされる。なお、プログラムは、ネットワークから直接、ロードされてもよい。
【０１８２】
プログラムは、コンピュータシステム９００に、上記実施の形態による情報処理端末の機能を実行させるオペレーティングシステム（ＯＳ）、またはサードパーティプログラム等を必ずしも含んでいなくてもよい。プログラムは、制御された態様で適切な機能やモジュールを呼び出し、所望の結果が得られるようにする命令の部分のみを含んでいてもよい。コンピュータシステム９００がどのように動作するのかについては周知であり、詳細な説明は省略する。
【０１８３】
本発明は、以上の実施の形態に限定されることなく、種々の変更が可能であり、それらも本発明の範囲内に包含されるものであることは言うまでもない。
【産業上の利用可能性】
【０１８４】
以上のように、本発明にかかる情報処理端末等は、集合したユーザの確認に用いられる装置等として適しており、特に、避難時のユーザの確認に用いられる装置等として有用である。
【符号の説明】
【０１８５】
１  情報処理端末
２  通信装置
３  サーバ
１０１  対象格納部
１０２  受信部
１０３  表示部
１０３ａ  モニタ
１０４  確認情報受付部
１０５  送信部
１０６  追加指示受付部
１０７  追加部
１０８  変更送信部
１０９  変更受信部
１１０  除外部
２０１  ユーザ情報格納部
２０２  第一送信部
２０３  第二送信部
３０１  サーバ受信部
３０２  サーバ出力部
１０００  避難支援システム
【図１】
2017187879.tif 000003
【図２】
2017187879.tif 000004
【図３】
2017187879.tif 000005
【図４】
2017187879.tif 000006
【図５】
2017187879.tif 000007
【図６】
2017187879.tif 000008
【図７】
2017187879.tif 000009
【図８】
2017187879.tif 000010
【図９】
2017187879.tif 000011
【図１０】
2017187879.tif 000012
【図１１】
2017187879.tif 000013
【図１２】
2017187879.tif 000014
【図１３】
2017187879.tif 000015
【図１４】
2017187879.tif 000016